(57)【要約】【課題】独立した専用部品を用いることなくドアミラーからの漏光を防止する。【解決手段】カップ状のミラーハウジング２の開口６側にミラー３が傾動可能に設置され、ミラーハウジング２の内部にランプユニット５が設置され、ランプユニット５から照射された光を、ミラーハウジング２の底壁部８に設けた透孔９を介して路面に照射可能とした車両用ドアミラー１において、ランプユニット５は、バルブ１０と、遮光性を有するランプハウジング１２と、ランプハウジング１２の照射口１４を塞ぐランプレンズ１３とを備え、ミラーハウジング２の底壁部８には、透孔９を囲繞するように、ミラーハウジング２の内側に凹設されて縮径する段差状の漏光防止用カバー部１８が形成され、照射口１４の周壁およびランプレンズ１３が透孔９に収容され、照射口１４の周壁およびランプレンズ１３の外周部が漏光防止用カバー部１８によって覆われている。【選択図】図３
2011084184.tif 000002
【特許請求の範囲】
【請求項１】
後方を開口させたカップ状のミラーハウジングの開口側にミラーが傾動可能に設置され、前記ミラーハウジングの内部にランプユニットが設置され、該ランプユニットから照射された光を、前記ミラーハウジングの底壁部に設けた透孔を介して路面に照射可能とした車両用ドアミラーにおいて、
前記ランプユニットは、光源と、前記光源の照射方向を規制する遮光性を有するランプハウジングと、該ランプハウジングの照射口を塞ぐ透光性を有するランプレンズとを備え、
前記ミラーハウジングの前記底壁部には、前記透孔を囲繞するように、ミラーハウジングの内側に凹設されて縮径する段差状の漏光防止用カバー部が形成され、前記ランプハウジングの前記照射口の周壁および前記ランプレンズが前記透孔に収容され、前記照射口の前記周壁および前記ランプレンズの外周部が前記漏光防止用カバー部によって覆われていることを特徴とする車両用ドアミラー。
【発明の詳細な説明】
【技術分野】
【０００１】
この発明は、車両のドア近傍の路面を照明するランプユニットを内蔵した車両用ドアミラーに関するものである。
【背景技術】
【０００２】
この種の車両用ドアミラーは、光源を含むランプユニットがミラーハウジングの内部に設置され、該ランプユニットから照射された光を、ミラーハウジングの底壁部に設けた透孔を介して路面に照射している。ランプユニットは、光源の側前方を包囲するように配置されたランプハウジングと、ランプハウジングの前端を塞ぐように配置された透明ガラス等からなるレンズを備え、このレンズが前記透孔に嵌め込まれている。
【０００３】
ところで、車両用ドアミラーは、一般に、角度調整機構を備えていてミラーの角度を調整することができるようになっており、ミラーの傾動を許容するために、ミラーハウジングの内面とミラーの外周面との間に隙間を設けている。
【０００４】
前記ランプユニットを内蔵した車両用ドアミラーでは、ランプユニットから照射された光がミラーハウジング内に漏れてしまうと、ミラーハウジングとミラーとの間の隙間から光が漏れ、見栄えが悪くなる。そのため、ランプユニットから照射された光が前記透孔からのみ出射するように、換言すると、ランプユニットから照射された光がミラーハウジング内に漏れないように漏光防止構造を採用している。
【０００５】
従来の漏光防止構造としては、漏光が想定される部位に遮蔽機能を有する部材を付加したり、前記透孔周りに配置する防水用のパッキンを漏光防止部材として兼用するなどが一般的であった（例えば、特許文献１参照）。
【先行技術文献】
【特許文献】
【０００６】
【特許文献１】特開２００２−９６６８２号公報
【発明の概要】
【発明が解決しようとする課題】
【０００７】
しかしながら、前記従来の漏光防止構造では、漏光防止専用の部材を別個に用意しているため、部品点数が増加するとともに、組み付け工数も増加して、コストアップとなるという課題がある。
そこで、この発明は、独立した専用部品を用いることなく漏光対策が可能で、コスト低減を図ることができる車両用ドアミラーを提供するものである。
【課題を解決するための手段】
【０００８】
この発明に係る車両用ドアミラーでは、上記課題を解決するために以下の手段を採用した。
請求項１に係る発明は、後方を開口させたカップ状のミラーハウジングの開口側にミラーが傾動可能に設置され、前記ミラーハウジングの内部にランプユニットが設置され、該ランプユニットから照射された光を、前記ミラーハウジングの底壁部に設けた透孔を介して路面に照射可能とした車両用ドアミラーにおいて、前記ランプユニットは、光源と、前記光源の照射方向を規制する遮光性を有するランプハウジングと、該ランプハウジングの照射口を塞ぐ透光性を有するランプレンズとを備え、前記ミラーハウジングの前記底壁部には、前記透孔を囲繞するように、ミラーハウジングの内側に凹設されて縮径する段差状の漏光防止用カバー部が形成され、前記ランプハウジングの前記照射口の周壁および前記ランプレンズが前記透孔に収容され、前記照射口の前記周壁および前記ランプレンズの外周部が前記漏光防止用カバー部によって覆われていることを特徴とする車両用ドアミラーである。
このように構成することにより、漏光防止専用の別個の部品を用いることなく、ランプユニットからミラーハウジング内への漏光を防止することができる。
【発明の効果】
【０００９】
請求項１に係る発明によれば、ランプユニットからミラーハウジング内への漏光を防止することができるので、ミラーハウジングの底壁部の透孔以外から光が漏れることがなく、ランプユニットを点灯させたときのドアミラーの見栄えが向上する。
また、漏光防止専用の別個の部品を用いることなく、ランプユニットからミラーハウジング内への漏光を防止することができるので、部品点数を削減することができるとともに、組み付け工数も削減することができる。その結果、ランプユニット内蔵の車両用ドアミラーのコスト低減を図ることができる。
【図面の簡単な説明】
【００１０】
【図１】この発明の実施形態における車両用ドアミラーの正面図である。
【図２】前記車両用ドアミラーの底面図である。
【図３】図２のＡ−Ａ断面図である。
【図４】図３の要部拡大図である。
【図５】図２のＢ−Ｂ断面図である。
【発明を実施するための形態】
【００１１】
以下、この発明に係る車両用ドアミラーの実施形態を図１から図５の図面を参照して説明する。なお、以下の説明における前後方向は、特に断らない限り、車体の前後方向に一致する。
【００１２】
図１は、自動車（車両）の前席左側のドア（図示略）に取り付けられるドアミラー１の正面図である。ドアミラー１は、前記ドアに固定されるドアミラーステー５０のアーム部５０ａに対して車幅方向に開閉駆動可能に設置されており、車室内の運転席近傍のスイッチ（図示略）を操作することにより、あるいは、携帯リモコンスイッチ（図示略）を操作することにより、ドアミラー１を前記ドアに接近する方向（閉方向）に回転させて格納したり、前記ドアから離間する方向（開方向）に回転させて後方視認可能な使用形態にすることができるようにされている。
【００１３】
図３、図５に示すように、ドアミラー１は、ミラーハウジング２と、ミラー３と、ミラー３を傾転可能に支持する鏡面調整ユニット４と、ランプユニット５と、ドアミラーステー５０のアーム部５０ａに回動可能に支持されたブラケット２０と、を備えており、ブラケット２０に鏡面調整ユニット４およびミラーハウジング２が取り付けられている。
ミラーハウジング２は遮光性を有する樹脂で形成されており、後方を開口させたカップ状をなしている。このミラーハウジング２の内部であって開口６に接近した位置にミラー３が配置されている。ミラー３は、ミラーホルダ７に支持され、このミラーホルダ７が鏡面調整ユニット４によって傾動されるように構成されている。
【００１４】
鏡面調整ユニット４は、ミラーホルダ７に支持されたミラー３をミラーハウジング２に対して上下方向および前後方向に傾動するための一対の電動アクチュエータ（図示略）を備えて構成されていて、車室内の運転席近傍のスイッチ（図示略）を操作することにより、ミラー３を所望の角度に調整することができるようになっている。なお、この鏡面調整ユニット４の構成については、従来から一般的に用いられているものと同じであるので、詳細説明を省略する。
このようにミラー３を傾動するときにミラーハウジング２とミラーホルダ７とが干渉しないように、図３に示すように、ミラーホルダ７の外面とミラーハウジング２の内面との間に隙間を設けている。
【００１５】
また、ミラーハウジング２の内部には、ドアミラーステー５０のアーム部５０ａに隣接する部位に、鏡面調整ユニット４と干渉しないように、ランプユニット５が設置されている。
詳述すると、ミラーハウジング２は平坦な底壁部８を備えており、図２に示すように、底壁部８の一端はドアミラーステー５０のアーム部５０ａに隣接して配置されている。底壁部８のアーム部５０ａに隣接する部位には、平面視略矩形の透孔９が貫通形成されていて、この透孔９にランプユニット５の一部が嵌め込まれている。したがって、ランプユニット５はミラーハウジング２の底壁部８に配置されていると言うこともできる。そして、図３に示すように、ランプユニット５は、ミラー３よりもミラーハウジング２の奥側であって、鏡面調整ユニット４よりも下方に配置されている。
【００１６】
ランプユニット５は、光源としてのバルブ１０と、バルブソケット１１と、ランプハウジング１２と、ランプレンズ１３とを備えて構成されている。
バルブソケット１１は、バルブ１０を保持するとともに、バルブ１０に電気を供給する。
ランプハウジング１２は、バルブソケット１１を支持するとともに、バルブ１０から照射された光の照射方向を規制するものである。ランプハウジング１２は樹脂製で、図３から図５に示すように、下方を照射口１４として開口させた箱状をなし、バルブ１０の全体を包囲する形状および大きさを有している。なお、照射口１４は透孔９に対応して略矩形をなしている。バルブソケット１１は、ミラーハウジング２の前方から後方に斜め下向きの姿勢でランプハウジング１２を貫通し、ランプハウジング１２に固定されている。ランプハウジング１２の内面はその全面が鏡面に形成されていて、バルブ１０から照射された光を反射して、照射口１４へと誘導する。すなわち、ランプハウジング１２は、バルブ１０から照射された光の照射方向を規制する機能を有するとともに、バルブ１０から照射された光のミラーハウジング２内への透過を阻止する遮光機能（遮光性）を有している。
ランプハウジング１２の照射口１４側の端部には、外方へ張り出す平坦なフランジ部（照射口１４の周壁）１５が全周に亘って形成されている。
【００１７】
ランプハウジング１２のフランジ部１５の前面には、ランプハウジング１２の照射口１４を塞ぐように、ランプレンズ１３が取り付けられている。ランプレンズ１３は、透明樹脂で形成されており、透孔９に対応して平面視略矩形をなす平板状の本体部１６と、本体部１６の外周から起立する縁部１７とから構成されている。ランプレンズ１３とフランジ部１５はその平面視外周形状、外周寸法が同一となっている。ランプレンズ１３は、縁部１７の上端をランプハウジング１２のフランジ部１５に突き当てて取り付けられており、縁部１７の外周面とフランジ部１５の外周面が面一となっている。
【００１８】
一方、ミラーハウジング２の底壁部８には、図４に示すように、透孔９を囲繞するように、ミラーハウジング２の内側に凹んだ後に縮径する断面逆Ｌ字形の段差部が環状に形成されている。この段差部は漏光防止用カバー部（以下、カバー部と略す）１８を構成している。
そして、ランプハウジング１２のフランジ部１５とランプレンズ１３がミラーハウジング２の透孔９に収容されて固定され、ランプレンズ１３の外周部およびランプハウジング１２のフランジ部１５の外周部がミラーハウジング２のカバー部１８によって隙間なく覆われている。また、ランプレンズ１３の本体部１６の外底面はミラーハウジング２の底壁部８の外面と面一となっている。
【００１９】
このように構成されたドアミラー１では、バルブ１０を点灯すると、バルブ１０から出射した光は、直接にあるいはランプハウジング１２の内面で反射して、ランプハウジング１２の照射口１４方向へ進み、ランプレンズ１３を透過して車両のドアの近傍の路面に照射される。
【００２０】
ここで、ランプハウジング１２は前述したように遮光性を有しているので、バルブ１０から照射された光がランプハウジング１２を透過してミラーハウジング２内に漏光することはない。また、ランプレンズ１３の外周部とランプハウジング１２のフランジ部１５の外周部は、ミラーハウジング２の底壁部８のカバー部１８に隙間なく覆われており、ミラーハウジング２は遮光性を有しているので、カバー部１８が、ランプレンズ１３の外周部やフランジ部１５の外周部からミラーハウジング２内に光が漏れるのを阻止する。
【００２１】
したがって、バルブ１０の光がミラーハウジング２の内部に漏光することがないので、ミラーハウジング２とミラーホルダ７との間の隙間から光が漏れることもない。つまり、ミラーハウジング２の底壁部８の透孔９以外からバルブ１０の光が漏れることがなく、バルブ１０の点灯時のドアミラー１の見栄えが向上する。
また、漏光防止専用の別個の部品を用いることなく、ランプユニット５からミラーハウジング２内への漏光を防止することができるので、部品点数を削減することができるとともに、組み付け工数も削減することができる。その結果、ランプユニット５を内蔵したドアミラー１のコスト低減を図ることができる。
【００２２】
〔他の実施例〕
なお、この発明は前述した実施形態に限られるものではない。
例えば、ランプユニット５の光源はバルブ１０に限るものではなく、ＬＥＤで構成してもよい。また、ランプレンズ１６は縁部１７がなくても構わない。ランプハウジング１２の内面は鏡面となっていなくても構わない。
【符号の説明】
【００２３】
１  車両用ドアミラー
２  ミラーハウジング
３  ミラー
４  鏡面調整ユニット
５  ランプユニット
６  開口
８  底壁部
９  透孔
１０  バルブ（光源）
１２  ランプハウジング
１３  ランプレンズ
１４  照射口
１５  フランジ部（照射口の周壁）
１８  漏光防止用カバー部
【図１】
2011084184.tif 000003
【図２】
2011084184.tif 000004
【図３】
2011084184.tif 000005
【図４】
2011084184.tif 000006
【図５】
2011084184.tif 000007